(57)【要約】      （修正有）【課題】蓋体をオープンさせた後、オープン固定位置に固定させて上下に揺れさせず、かつクローズした後もクローズ固定位置に固定させ得るカーオーディオ用防護蓋を提供する。【解決手段】カーオーディオパネル１１上に設置し、オーディオパネルに１つの記録メディアを装着することに用いるメディア装着口１１２を備え、１つの蓋体１２１および１つの弾性体を含んだ防護蓋１２である。蓋体の面積は、メディア装着口より大きい。弾性体の一部分を該蓋体に固着し、別の部分をメディア装着口に軸着し、弾性体本体の回転力は、蓋体の開合時の必要な弾力を提供することに用いる。優れた実施例において弾性体は、一種のコの字形金属棒である。【選択図】図１
0003109561.tif 000002
【実用新案登録請求の範囲】
【請求項１】
記録メディアを装着するために用いるメディア装着口を備えたパネルに装着されるカーオーディオ用防護蓋であって、前記カーオーディオ防護蓋が、
前記メディア装着口より面積が大きい蓋体と、
前記蓋体に一部分が固着され、別の一部分が前記メディア装着口に軸着されて前記蓋体の開閉時に必要な弾力をその回転力により提供する弾性体と、を含むカーオーディオ用防護蓋。
【請求項２】
前記記録メディアがカセットテープであることを特徴とする、請求項１に記載のカーオーディオ用防護蓋。
【請求項３】
前記記録メディアがＣＤであることを特徴とする、請求項１に記載のカーオーディオ用防護蓋。
【請求項４】
前記弾性体は、コの字形の金属棒であり、第一段、第二段および第三段を備え、前記第二段の両端をそれぞれ延伸して前記第一段および前記第三段が設けられ、コの字形型の外観を形成し、前記第二段が前記蓋体に固着され、前記第一段および前記第三段の末端が軸着端として前記メディア装着口に軸着されたことを特徴とする、請求項１に記載のカーオーディオ用防護蓋。
【請求項５】
さらに、前記金属棒の第二段を前記蓋体内側に固定するための第一固定板を含む、請求項４に記載のカーオーディオ用防護蓋。
【請求項６】
前記第一固定板がネジ留めにより前記金属棒の第二段を蓋体内側に固定することを特徴とする、請求項５に記載のカーオーディオ用防護蓋。
【請求項７】
前記金属棒第二段の中間部分が、凹部を形成することを特徴とする、請求項４に記載のカーオーディオ用防護蓋。
【請求項８】
前記金属棒の第一段および第三段がそれぞれ曲げ角度を備えることを特徴とする、請求項４に記載のカーオーディオ用防護蓋。
【請求項９】
前記曲げ角度が１５０度から１６５度の間であり、前記蓋体の開閉を円滑にすることを特徴とする、請求項８に記載のカーオーディオ用防護蓋。
【請求項１０】
さらに、前記メディア装着口内側に固着される第二固定板を含み、前記金属棒の第一段および第三段の軸着端が前記第二固定板の両側に軸着されることを特徴とする、請求項４に記載のカーオーディオ用防護蓋。
【考案の詳細な説明】
【技術分野】
【０００１】
考案は、カーオーディオ用防護蓋の一種で、詳細に述べると塵埃あるいは水分がメディア装着口に進入することを防止し、かつ１つの弾性体の設計によってスムーズに開合できるオーディオ用防護蓋である。
【背景技術】
【０００２】
図１は、一般的な防護蓋を付設したカーオーディオを示している。カーオーディオ１には、１つのパネル１１および１つの防護蓋１２を含み、パネル１１に複数個の押ボタン１１１および１箇所のメディア装着口１１２を含み、これら押ボタン１１１は、使用者がオーディオ１を操作するために供されるもので、またメディア装着口１１２は、使用者がテープあるいはＣＤなどのような記録メディアを装着することに供されたものである。カーオーディオ１は、室外用オーディの一種で通常、モーターボートあるいは重機作業車（トレーラ車あるいは掘削機など）などの特殊な場所に設置されるものである。これら特殊な場所は、通常比較的多く塵埃あるいは水分があるため、場所に設置するオーディオは、パネル１１を保護すると共に塵埃あるいは水分がメディア装着口１１２へ進入あるいはこれら押ボタン１１１に対する損害を防止するため、防護蓋１２を増設する必要がある。
【０００３】
一般的な防護蓋１２は、通常半透明のプラスチック材質で、１つの蓋体１２１および１つのフレーム体１２２を含んでいる。フレーム体１２２は、パネル１１の外周に嵌装されている。蓋体１２１の面積は、パネル１１の面積と大まかに均しく、その上縁は、複数個の軸着箇所１２３を介してフレーム体１２２の上縁と軸着している。かつその下縁には、使用者が蓋体１２１を開合するための突縁１２４を備える。突縁１２４は、フレーム体１２２下縁に設置した固定台１２５と相対できるように置かれ、突縁１２４を固定台１２５に合致させた後、防塵防水の機能を果たすことができる。
【０００４】
一般的な防護蓋１２の欠点は、蓋体１２１が上にオープンされた後、一つの固定された位置に固定されることができず、容易に上下に揺れ動く。これにより使用者は、蓋体１２１をオープンにした後でパネル１１を操作する時、蓋体１２１下縁が使用者の手に垂直落下して接触することによって、使用上の不便を起こしてしまう。その他使用者が一般的な防護蓋１２を使用する方法は、先に突縁１２４を固定台１２５から引張り、かつパネル１１の操作を完了し、また蓋体１２１をクローズした後、更に突縁１２４を固定座１２５に合致させなければならない。このように引張りや閉じることを繰り返しすることで使用上の不便が生じ、かつ突縁１２４あるいは固定座１２５が容易に壊れ易くなる。
【考案の開示】
【考案が解決しようとする課題】
【０００５】
以上の問題を解決するために新しくかつ進歩的なオーディオ用防護蓋を提供する必要がある。
【０００６】
考案の主な目的は、カーオーディオ用防護蓋に提供し、カーオーディオパネル上に設置し、オーディオパネルに１つの記録メディアを装着することに用いるメディア装着口を備え、１つの蓋体および１つの弾性体を含んだ防護蓋である。蓋体の面積は、媒体装着口より大きい。弾性体の一部分を該蓋体に固着し、別の部分をメディア装着口に軸着し、弾性体本体の回転力は、蓋体の開合時の必要な弾力を提供することに用いる。優れた実施例において、弾性体は、一種のコの字形金属棒で１箇所の第一段、１箇所の第二段および１箇所の第三段を備え、第二段の両端がそれぞれ第一段および第三段に延伸して一種のコの字形外観を形成し、第二段が蓋体に固定され、第一段および第三段末端を軸着端としてメディア装着口に軸着される。
【０００７】
考案のカーオーディオ用防護蓋は、弾性体の設計によりオーディオ用防護蓋の蓋体をオープンさせた後、オープン固定位置に固定させて上下に揺れさせない。かつクローズした後もクローズ固定位置に固定させることで十分利便性を備える。その他蓋体を開合過程中において、弾性の特殊設計で蓋体の開合をよりスムーズにさせることができる。
【考案を実施するための最良の形態】
【０００８】
図２および図３は、それぞれ考案の防護蓋を付設したカーオーディオを立体で示した説明図で、この中の図２は、防護蓋の開合状態を示した説明図である。図３は、防護蓋のオープン状態を示した説明図である。カーオーディオ２は、一般的に使用されているカーオーディオ１（図１）と同じもので１つのパネル２１および１つの防護蓋２２を含み、パネル２１には、複数個の押ボタン２１１および１箇所のメディア装着口２１２を含み、これらボタン２１１は、使用者にオーディオ２を操作させるために提供され、メディア装着口２１２は、使用者がテープあるいはＣＤなどのような記録メディアを装着するために供されるものである。カーオーディオ２は、室外用オーディオの１種で、通常モーターボートあるいは重機作業車（トレーラ車あるいは掘削機など）などの特殊な場所に設置されるものである。これら特殊な場所は、通常比較的多く塵埃あるいは水分があるため、場所に設置するオーディオをパネル２１で保護すると共に塵埃あるいは水分がメディア装着口２１２への進入あるいはこれら押ボタン２１１に対する損害を防止するため、防護蓋２２を増設する必要がある。
【０００９】
図４は、図３を示した仰視図である。図内において考案の防護蓋２２に１つの蓋体２２１および１つの弾性体２２２を含んでいることを見ることができる。蓋体２２１の面積は、メディア装着口２１２より大きく、蓋体２２１をクローズした時、メディア装着口２１２（図２）全体を覆うことに用いる。注意することは、蓋体２２１の面積もパネル２１の面積と大まかに均しく、蓋体２２１をクローズした時、パネル２１全体を覆うことに用いる。蓋体２２１の下縁には、使用者が蓋体２２１の開合の利便性のために１つの突縁２２１１を備えている。
【００１０】
弾性体２２２の一部分を蓋体２２１に固定し、別の一部分をメディア装着口２１２の内側上縁に軸着している。弾性体２２２は、蓋体２２１を開合する時に必要な弾力を提供することに用いる。実施例内において弾性体２２２は、１つのコの字形金属棒で、１箇所の第一段２２２ａ、１箇所の第二段２２２ｂおよび１箇所の第三段２２２ｃを備えている。第二段２２２ｂの両端が、それぞれ第一段２２２ａおよび第三段２２２ｃ  に延伸して一種のコの字形構造を形成し、かつ二段２２２ｂ中間部分が凹部Ａを形成している。第二段２２２ｂは、１つの第一固定板２３によって蓋体２２１内部表面に固定される。実施例内においてその固定方法は、第一固定板２３および蓋体２２１内部表面で第二段２２２ｂを挟み込んだ後、ネジ３１、３２、３３で第一固定板２３および蓋体２２１を締付固定する。
【００１１】
第一段２２２ａおよび第三段２２２ｃの末端を軸着端とし、メディア装着口２１２内部側上縁に軸着された。実施例内においてその軸着方法は、先に１つの第二固定板２４をネジでメディア装着口２１２の上縁内側に締付固定し、この中の第二固定板２４の両側にそれぞれ開口２４１、２４２を備え、その後第一段２２２ａおよび第三段２２２ｃの軸着端をそれぞれ開口２４１、２４２に挿入する。実施例内においてネジ３２で固定する位置を凹部Ａ内とし、凹部Ａの固定効果を強化している。凹部Ａにより固定されかつ第一段２２２ａおよび第三段２２２ｃの軸着端をこれら開口２４１、２４２内で制限することで、蓋体２２１が開合過程内において、第二段２２２ｂと第一段２２２ａおよび第三段２２２ｃの間の金属棒の本体は、ねじれを持った回転力を備える。
【００１２】
図５および図６は、それぞれ考案である防護蓋のクローズ状態およびオープン状態を示した断面図であり、この中の図５は、図２に対応し、図６は図３に対応している。図５からは、弾性体２２２の第三段２２２ｃが曲げ角度θを備えていることが見える。図６からは、曲げ角度θの設計で蓋体２２１の上縁がオープン過程中、パネル２１の上縁を避けてスムーズに開合できる。この他曲げ角度θの設計は、蓋体２２１が使用者によって約５０から６０度オープンされた後、弾性体２２２本体の回転力により自動的に９０度のオープン位置（即ち図６に示す位置）にまで開く。曲げ角度θは、１５０度から１６５度となるのが望ましい。考案の蓋体２２１がオープン位置（即ち図６に示す位置）までオープンされた後、弾性体２２２の回転力により位置に固定され、また一般的に使用されている防護蓋１２（図１）の蓋体１２１が上下に揺れるような状況が発生することが無いことにより、使用者がスムーズにパネル２１を操作できる。同様な理論により蓋体２２１をクローズしたい場合、突縁２２１１を下押して蓋体２２１が使用者によって約３０から４０度閉められた後、弾性体２２２本体の回転力によって、自動的に０度のクローズ位置（即ち図５に示す位置）にクローズする。蓋体２２１がクローズ位置（即ち図５に示す位置）までクローズした後、弾性体２２２の回転力によって位置に固定されるので、別途操作プロセスを必要としないことから、操作上十分な利便性がある。
【図面の簡単な説明】
【００１３】
【図１】一般的に使用されている防護蓋を付設したカーオーディオを示した立体図である。
【図２】本考案の防護蓋を付設したカーオーディオを示した立体図で、防護蓋がクローズしている状態である。
【図３】本考案の防護蓋を付設したカーオーディオを示した立体図で、防護蓋がオープンしている状態である。
【図４】図３の仰視図である。
【図５】本考案の防護蓋のクローズ状態を示した断面図である。
【図６】本考案の防護蓋のオープン状態を示した断面図である。
【符号の説明】
【００１４】
１              カーオーディオ
２              カーオーディオ
１１            パネル
１２            防護蓋
２１            パネル
２２            防護蓋
２３            第一固定板
２４            第二固定板
３１、３２、３３  ネジ
１１１            押ボタン
１１２            メディア装着口
１２１            蓋体
１２２            フレーム体
１２３            軸着箇所
１２４            突縁
１２５            固定台
２１１            押ボタン
２１２            メディア装着口
２２１            蓋体
２２２            弾性体
２２２ａ          第一段
２２２ｂ          第二段
２２２ｃ          第三段
２２１１          突縁
２４１、２４２    開口
Ａ                凹部
【図１】
0003109561.tif 000003
【図２】
0003109561.tif 000004
【図３】
0003109561.tif 000005
【図４】
0003109561.tif 000006
【図５】
0003109561.tif 000007
【図６】
0003109561.tif 000008
【手続補正書】
【提出日】平成16年12月28日(2004.12.28)
【手続補正１】
【補正対象書類名】実用新案登録請求の範囲
【補正対象項目名】全文
【補正方法】変更
【補正の内容】
【実用新案登録請求の範囲】
【請求項１】
記録メディアを装着するために用いるメディア装着口を備えたパネルに装着されるカーオーディオ用防護蓋であって、前記カーオーディオ防護蓋が、
前記メディア装着口より面積が大きい蓋体と、
前記蓋体に一部分が固着され、別の一部分が前記メディア装着口に枢着されて前記蓋体の開閉時に必要な弾力をその回転力により提供する弾性体と、を含むカーオーディオ用防護蓋。
【請求項２】
前記記録メディアがカセットテープであることを特徴とする、請求項１に記載のカーオーディオ用防護蓋。
【請求項３】
前記記録メディアがＣＤであることを特徴とする、請求項１に記載のカーオーディオ用防護蓋。
【請求項４】
前記弾性体は、コの字形の金属棒であり、第一段、第二段および第三段を備え、前記第二段の両端をそれぞれ延伸して前記第一段および前記第三段が設けられ、コの字形型の外観を形成し、前記第二段が前記蓋体に固着され、前記第一段および前記第三段の末端が枢着端として前記メディア装着口に枢着されたことを特徴とする、請求項１に記載のカーオーディオ用防護蓋。
【請求項５】
さらに、前記金属棒の第二段を前記蓋体内側に固定するための第一固定板を含む、請求項４に記載のカーオーディオ用防護蓋。
【請求項６】
前記第一固定板がネジ留めにより前記金属棒の第二段を蓋体内側に固定することを特徴とする、請求項５に記載のカーオーディオ用防護蓋。
【請求項７】
前記金属棒第二段の中間部分が、凹部を形成することを特徴とする、請求項４に記載のカーオーディオ用防護蓋。
【請求項８】
前記金属棒の第一段および第三段がそれぞれ曲げ角度を備えることを特徴とする、請求項４に記載のカーオーディオ用防護蓋。
【請求項９】
前記曲げ角度が１５０度から１６５度の間であり、前記蓋体の開閉を円滑にすることを特徴とする、請求項８に記載のカーオーディオ用防護蓋。
【請求項１０】
さらに、前記メディア装着口内側に固着される第二固定板を含み、前記金属棒の第一段および第三段の枢着端が前記第二固定板の両側に枢着されることを特徴とする、請求項４に記載のカーオーディオ用防護蓋。
【手続補正２】
【補正対象書類名】明細書
【補正対象項目名】全文
【補正方法】変更
【補正の内容】
【考案の詳細な説明】
【技術分野】
【０００１】
考案は、カーオーディオ用防護蓋の一種で、詳細に述べると塵埃あるいは水分がメディア装着口に進入することを防止し、かつ１つの弾性体の設計によってスムーズに開合できるオーディオ用防護蓋である。
【背景技術】
【０００２】
図１は、一般的な防護蓋を付設したカーオーディオを示している。カーオーディオ１には、１つのパネル１１および１つの防護蓋１２を含み、パネル１１に複数個の押ボタン１１１および１箇所のメディア装着口１１２を含み、これら押ボタン１１１は、使用者がオーディオ１を操作するために供されるもので、またメディア装着口１１２は、使用者がテープあるいはＣＤなどのような記録メディアを装着することに供されたものである。カーオーディオ１は、室外用オーディの一種で通常、モーターボートあるいは重機作業車（トレーラ車あるいは掘削機など）などの特殊な場所に設置されるものである。これら特殊な場所は、通常比較的多く塵埃あるいは水分があるため、場所に設置するオーディオは、パネル１１を保護すると共に塵埃あるいは水分がメディア装着口１１２へ進入あるいはこれら押ボタン１１１に対する損害を防止するため、防護蓋１２を増設する必要がある。
【０００３】
一般的な防護蓋１２は、通常半透明のプラスチック材質で、１つの蓋体１２１および１つのフレーム体１２２を含んでいる。フレーム体１２２は、パネル１１の外周に嵌装されている。蓋体１２１の面積は、パネル１１の面積と大まかに均しく、その上縁は、複数個の枢着箇所１２３を介してフレーム体１２２の上縁と枢着している。かつその下縁には、使用者が蓋体１２１を開合するための突縁１２４を備える。突縁１２４は、フレーム体１２２下縁に設置した固定台１２５と相対できるように置かれ、突縁１２４を固定台１２５に合致させた後、防塵防水の機能を果たすことができる。
【０００４】
一般的な防護蓋１２の欠点は、蓋体１２１が上にオープンされた後、一つの固定された位置に固定されることができず、容易に上下に揺れ動く。これにより使用者は、蓋体１２１をオープンにした後でパネル１１を操作する時、蓋体１２１下縁が使用者の手に垂直落下して接触することによって、使用上の不便を起こしてしまう。その他使用者が一般的な防護蓋１２を使用する方法は、先に突縁１２４を固定台１２５から引張り、かつパネル１１の操作を完了し、また蓋体１２１をクローズした後、更に突縁１２４を固定座１２５に合致させなければならない。このように引張りや閉じることを繰り返しすることで使用上の不便が生じ、かつ突縁１２４あるいは固定座１２５が容易に壊れ易くなる。
【考案の開示】
【考案が解決しようとする課題】
【０００５】
以上の問題を解決するために新しくかつ進歩的なオーディオ用防護蓋を提供する必要がある。
【０００６】
考案の主な目的は、カーオーディオ用防護蓋に提供し、カーオーディオパネル上に設置し、オーディオパネルに１つの記録メディアを装着することに用いるメディア装着口を備え、１つの蓋体および１つの弾性体を含んだ防護蓋である。蓋体の面積は、媒体装着口より大きい。弾性体の一部分を該蓋体に固着し、別の部分をメディア装着口に枢着し、弾性体本体の回転力は、蓋体の開合時の必要な弾力を提供することに用いる。優れた実施例において、弾性体は、一種のコの字形金属棒で１箇所の第一段、１箇所の第二段および１箇所の第三段を備え、第二段の両端がそれぞれ第一段および第三段に延伸して一種のコの字形外観を形成し、第二段が蓋体に固定され、第一段および第三段末端を枢着端としてメディア装着口に枢着される。
【０００７】
考案のカーオーディオ用防護蓋は、弾性体の設計によりオーディオ用防護蓋の蓋体をオープンさせた後、オープン固定位置に固定させて上下に揺れない。かつクローズした後もクローズ固定位置に固定させることで十分利便性を備える。その他蓋体を開合過程中において、弾性の特殊設計で蓋体の開合をよりスムーズにさせることができる。
【考案を実施するための最良の形態】
【０００８】
図２および図３は、それぞれ考案の防護蓋を付設したカーオーディオを立体で示した説明図で、この中の図２は、防護蓋の開合状態を示した説明図である。図３は、防護蓋のオープン状態を示した説明図である。カーオーディオ２は、一般的に使用されているカーオーディオ１（図１）と同じもので１つのパネル２１および１つの防護蓋２２を含み、パネル２１には、複数個の押ボタン２１１および１箇所のメディア装着口２１２を含み、これらボタン２１１は、使用者にオーディオ２を操作させるために提供され、メディア装着口２１２は、使用者がテープあるいはＣＤなどのような記録メディアを装着するために供されるものである。カーオーディオ２は、室外用オーディオの１種で、通常モーターボートあるいは重機作業車（トレーラ車あるいは掘削機など）などの特殊な場所に設置されるものである。これら特殊な場所は、通常比較的多く塵埃あるいは水分があるため、場所に設置するオーディオをパネル２１で保護すると共に塵埃あるいは水分がメディア装着口２１２への進入あるいはこれら押ボタン２１１に対する損害を防止するため、防護蓋２２を増設する必要がある。
【０００９】
図４は、図３を示した底面図である。図内において考案の防護蓋２２に１つの蓋体２２１および１つの弾性体２２２を含んでいることを見ることができる。蓋体２２１の面積は、メディア装着口２１２より大きく、蓋体２２１をクローズした時、メディア装着口２１２（図２）全体を覆うことに用いる。注意することは、蓋体２２１の面積もパネル２１の面積と大まかに均しく、蓋体２２１をクローズした時、パネル２１全体を覆うことに用いる。蓋体２２１の下縁には、使用者が蓋体２２１の開合の利便性のために１つの突縁２２１１を備えている。
【００１０】
弾性体２２２の一部分を蓋体２２１に固定し、別の一部分をメディア装着口２１２の内側上縁に枢着している。弾性体２２２は、蓋体２２１を開合する時に必要な弾力を提供することに用いる。実施例内において弾性体２２２は、１つのコの字形金属棒で、１箇所の第一段２２２ａ、１箇所の第二段２２２ｂおよび１箇所の第三段２２２ｃを備えている。第二段２２２ｂの両端が、それぞれ第一段２２２ａおよび第三段２２２ｃ  に延伸して一種のコの字形構造を形成し、かつ二段２２２ｂ中間部分が凹部Ａを形成している。第二段２２２ｂは、１つの第一固定板２３によって蓋体２２１内部表面に固定される。実施例内においてその固定方法は、第一固定板２３および蓋体２２１内部表面で第二段２２２ｂを挟み込んだ後、ネジ３１、３２、３３で第一固定板２３および蓋体２２１を締付固定する。
【００１１】
第一段２２２ａおよび第三段２２２ｃの末端を枢着端とし、メディア装着口２１２内部側上縁に枢着された。実施例内においてその枢着方法は、先に１つの第二固定板２４をネジでメディア装着口２１２の上縁内側に締付固定し、この中の第二固定板２４の両側にそれぞれ開口２４１、２４２を備え、その後第一段２２２ａおよび第三段２２２ｃの枢着端をそれぞれ開口２４１、２４２に挿入する。実施例内においてネジ３２で固定する位置を凹部Ａ内とし、凹部Ａの固定効果を強化している。凹部Ａにより固定されかつ第一段２２２ａおよび第三段２２２ｃの枢着端をこれら開口２４１、２４２内で制限することで、蓋体２２１が開合過程内において、第二段２２２ｂと第一段２２２ａおよび第三段２２２ｃの間の金属棒の本体は、トーション力を備える。
【００１２】
図５および図６は、それぞれ考案である防護蓋のクローズ状態およびオープン状態を示した断面図であり、この中の図５は、図２に対応し、図６は図３に対応している。図５からは、弾性体２２２の第三段２２２ｃが曲げ角度θを備えていることが見える。図６からは、曲げ角度θの設計で蓋体２２１の上縁がオープン過程中、パネル２１の上縁を避けてスムーズに開合できる。この他曲げ角度θの設計は、蓋体２２１が使用者によって約５０から６０度オープンされた後、弾性体２２２本体の回転力により自動的に９０度のオープン位置（即ち図６に示す位置）にまで開く。曲げ角度θは、１５０度から１６５度となるのが望ましい。考案の蓋体２２１がオープン位置（即ち図６に示す位置）までオープンされた後、弾性体２２２の回転力により位置に固定され、また一般的に使用されている防護蓋１２（図１）の蓋体１２１が上下に揺れるような状況が発生することが無いことにより、使用者がスムーズにパネル２１を操作できる。同様な理論により蓋体２２１をクローズしたい場合、突縁２２１１を下押して蓋体２２１が使用者によって約３０から４０度閉められた後、弾性体２２２本体の回転力によって、自動的に０度のクローズ位置（即ち図５に示す位置）にクローズする。蓋体２２１がクローズ位置（即ち図５に示す位置）までクローズした後、弾性体２２２の回転力によって位置に固定されるので、別途操作プロセスを必要としないことから、操作上十分な利便性がある。
【図面の簡単な説明】
【００１３】
【図１】一般的に使用されている防護蓋を付設したカーオーディオを示した立体図である。
【図２】本考案の防護蓋を付設したカーオーディオを示した立体図で、防護蓋がクローズしている状態である。
【図３】本考案の防護蓋を付設したカーオーディオを示した立体図で、防護蓋がオープンしている状態である。
【図４】図３の底面図である。
【図５】本考案の防護蓋のクローズ状態を示した断面図である。
【図６】本考案の防護蓋のオープン状態を示した断面図である。
【符号の説明】
【００１４】
１              カーオーディオ
２              カーオーディオ
１１            パネル
１２            防護蓋
２１            パネル
２２            防護蓋
２３            第一固定板
２４            第二固定板
３１、３２、３３  ネジ
１１１            押ボタン
１１２            メディア装着口
１２１            蓋体
１２２            フレーム体
１２３            枢着箇所
１２４            突縁
１２５            固定台
２１１            押ボタン
２１２            メディア装着口
２２１            蓋体
２２２            弾性体
２２２ａ          第一段
２２２ｂ          第二段
２２２ｃ          第三段
２２１１          突縁
２４１、２４２    開口
Ａ                凹部
【手続補正書】
【提出日】平成17年2月3日(2005.2.3)
【手続補正１】
【補正対象書類名】明細書
【補正対象項目名】全文
【補正方法】変更
【補正の内容】
【考案の詳細な説明】
【技術分野】
【０００１】
考案は、カーオーディオ用防護蓋の一種で、詳細に述べると塵埃あるいは水分がメディア装着口に進入することを防止し、かつ１つの弾性体の設計によってスムーズに開合できるオーディオ用防護蓋である。
【背景技術】
【０００２】
図１は、一般的な防護蓋を付設したカーオーディオを示している。カーオーディオ１には、１つのパネル１１および１つの防護蓋１２を含み、パネル１１に複数個の押ボタン１１１および１箇所のメディア装着口１１２を含み、これら押ボタン１１１は、使用者がオーディオ１を操作するために供されるもので、またメディア装着口１１２は、使用者がテープあるいはＣＤなどのような記録メディアを装着することに供されたものである。カーオーディオ１は、室外用オーディの一種で通常、モーターボートあるいは重機作業車（トレーラ車あるいは掘削機など）などの特殊な場所に設置されるものである。これら特殊な場所は、通常比較的多く塵埃あるいは水分があるため、場所に設置するオーディオは、パネル１１を保護すると共に塵埃あるいは水分がメディア装着口１１２へ進入あるいはこれら押ボタン１１１に対する損害を防止するため、防護蓋１２を増設する必要がある。
【０００３】
一般的な防護蓋１２は、通常半透明のプラスチック材質で、１つの蓋体１２１および１つのフレーム体１２２を含んでいる。フレーム体１２２は、パネル１１の外周に嵌装されている。蓋体１２１の面積は、パネル１１の面積と大まかに均しく、その上縁は、複数個の枢着箇所１２３を介してフレーム体１２２の上縁と枢着している。かつその下縁には、使用者が蓋体１２１を開合するための突縁１２４を備える。突縁１２４は、フレーム体１２２下縁に設置した固定台１２５と相対できるように置かれ、突縁１２４を固定台１２５に合致させた後、防塵防水の機能を果たすことができる。
【０００４】
一般的な防護蓋１２の欠点は、蓋体１２１が上にオープンされた後、一つの固定された位置に固定されることができず、容易に上下に揺れ動く。これにより使用者は、蓋体１２１をオープンにした後でパネル１１を操作する時、蓋体１２１下縁が使用者の手に垂直落下して接触することによって、使用上の不便を起こしてしまう。その他使用者が一般的な防護蓋１２を使用する方法は、先に突縁１２４を固定台１２５から引張り、かつパネル１１の操作を完了し、また蓋体１２１をクローズした後、更に突縁１２４を固定座１２５に合致させなければならない。このように引張りや閉じることを繰り返しすることで使用上の不便が生じ、かつ突縁１２４あるいは固定座１２５が容易に壊れ易くなる。
【考案の開示】
【考案が解決しようとする課題】
【０００５】
以上の問題を解決するために新しくかつ進歩的なオーディオ用防護蓋を提供する必要がある。
【０００６】
考案の主な目的は、カーオーディオ用防護蓋に提供し、カーオーディオパネル上に設置し、オーディオパネルに１つの記録メディアを装着することに用いるメディア装着口を備え、１つの蓋体および１つの弾性体を含んだ防護蓋である。蓋体の面積は、媒体装着口より大きい。弾性体の一部分を該蓋体に固着し、別の部分をメディア装着口に枢着し、弾性体本体の回転力は、蓋体の開合時の必要な弾力を提供することに用いる。優れた実施例において、弾性体は、一種のコの字形金属棒で１箇所の第一段、１箇所の第二段および１箇所の第三段を備え、第二段の両端がそれぞれ第一段および第三段に延伸して一種のコの字形外観を形成し、第二段が蓋体に固定され、第一段および第三段末端を枢着端としてメディア装着口に枢着される。
【０００７】
考案のカーオーディオ用防護蓋は、弾性体の設計によりオーディオ用防護蓋の蓋体をオープンさせた後、オープン固定位置に固定させて上下に揺れない。かつクローズした後もクローズ固定位置に固定させることで十分利便性を備える。その他蓋体を開合過程中において、弾性の特殊設計で蓋体の開合をよりスムーズにさせることができる。
【考案を実施するための最良の形態】
【０００８】
図２および図３は、それぞれ考案の防護蓋を付設したカーオーディオを立体で示した説明図で、この中の図２は、防護蓋の開合状態を示した説明図である。図３は、防護蓋のオープン状態を示した説明図である。カーオーディオ２は、一般的に使用されているカーオーディオ１（図１）と同じもので１つのパネル２１および１つの防護蓋２２を含み、パネル２１には、複数個の押ボタン２１１および１箇所のメディア装着口２１２を含み、これらボタン２１１は、使用者にオーディオ２を操作させるために提供され、メディア装着口２１２は、使用者がテープあるいはＣＤなどのような記録メディアを装着するために供されるものである。カーオーディオ２は、室外用オーディオの１種で、通常モーターボートあるいは重機作業車（トレーラ車あるいは掘削機など）などの特殊な場所に設置されるものである。これら特殊な場所は、通常比較的多く塵埃あるいは水分があるため、場所に設置するオーディオをパネル２１で保護すると共に塵埃あるいは水分がメディア装着口２１２への進入あるいはこれら押ボタン２１１に対する損害を防止するため、防護蓋２２を増設する必要がある。
【０００９】
図４は、図３を示した底面図である。図内において考案の防護蓋２２に１つの蓋体２２１および１つの弾性体２２２を含んでいることを見ることができる。蓋体２２１の面積は、メディア装着口２１２より大きく、蓋体２２１をクローズした時、メディア装着口２１２（図２）全体を覆うことに用いる。注意することは、蓋体２２１の面積もパネル２１の面積と大まかに均しく、蓋体２２１をクローズした時、パネル２１全体を覆うことに用いる。蓋体２２１の下縁には、使用者が蓋体２２１の開合の利便性のために１つの突縁２２１１を備えている。
【００１０】
弾性体２２２の一部分を蓋体２２１に固定し、別の一部分をメディア装着口２１２の内側上縁に枢着している。弾性体２２２は、蓋体２２１を開合する時に必要な弾力を提供することに用いる。実施例内において弾性体２２２は、１つのコの字形金属棒で、１箇所の第一段２２２ａ、１箇所の第二段２２２ｂおよび１箇所の第三段２２２ｃを備えている。第二段２２２ｂの両端が、それぞれ第一段２２２ａおよび第三段２２２ｃ  に延伸して一種のコの字形構造を形成し、かつ二段２２２ｂ中間部分が凹部Ａを形成している。第二段２２２ｂは、１つの第一固定板２３によって蓋体２２１内部表面に固定される。実施例内においてその固定方法は、第一固定板２３および蓋体２２１内部表面で第二段２２２ｂを挟み込んだ後、ネジ３１、３２、３３で第一固定板２３および蓋体２２１を締付固定する。
【００１１】
第一段２２２ａおよび第三段２２２ｃの末端を枢着端とし、メディア装着口２１２内部側上縁に枢着された。実施例内においてその方法は、先に１つの第二固定板２４をネジでメディア装着口２１２の上縁内側に締付固定し、この中の第二固定板２４の両側にそれぞれ開口２４１、２４２を備え、その後第一段２２２ａおよび第三段２２２ｃの端をそれぞれ開口２４１、２４２に挿入する。実施例内においてネジ３２で固定する位置を凹部Ａ内とし、凹部Ａの固定効果を強化している。凹部Ａにより固定されかつ第一段２２２ａおよび第三段２２２ｃの端をこれら開口２４１、２４２内で制限することで、蓋体２２１が開合過程内において、第二段２２２ｂと第一段２２２ａおよび第三段２２２ｃの間の金属棒の本体は、トーション力を備える。
【００１２】
図５および図６は、それぞれ考案である防護蓋のクローズ状態およびオープン状態を示した断面図であり、この中の図５は、図２に対応し、図６は図３に対応している。図５からは、弾性体２２２の第三段２２２ｃが曲げ角度θを備えていることが見える。図６からは、曲げ角度θの設計で蓋体２２１の上縁がオープン過程中、パネル２１の上縁を避けてスムーズに開合できる。この他曲げ角度θの設計は、蓋体２２１が使用者によって約５０から６０度オープンされた後、弾性体２２２本体の回転力により自動的に９０度のオープン位置（即ち図６に示す位置）にまで開く。曲げ角度θは、１５０度から１６５度となるのが望ましい。考案の蓋体２２１がオープン位置（即ち図６に示す位置）までオープンされた後、弾性体２２２の回転力により位置に固定され、また一般的に使用されている防護蓋１２（図１）の蓋体１２１が上下に揺れるような状況が発生することが無いことにより、使用者がスムーズにパネル２１を操作できる。同様な理論により蓋体２２１をクローズしたい場合、突縁２２１１を下押して蓋体２２１が使用者によって約３０から４０度閉められた後、弾性体２２２本体の回転力によって、自動的に０度のクローズ位置（即ち図５に示す位置）にクローズする。蓋体２２１がクローズ位置（即ち図５に示す位置）までクローズした後、弾性体２２２の回転力によって位置に固定されるので、別途操作プロセスを必要としないことから、操作上十分な利便性がある。
【００１３】
本考案は上記実施例に限定されるものでなく、本考案の範囲内で幾多の変形をされうるものである。
【図面の簡単な説明】
【００１４】
【図１】一般的に使用されている防護蓋を付設したカーオーディオを示した立体図である。
【図２】本考案の防護蓋を付設したカーオーディオを示した立体図で、防護蓋がクローズしている状態である。
【図３】本考案の防護蓋を付設したカーオーディオを示した立体図で、防護蓋がオープンしている状態である。
【図４】図３の底面図である。
【図５】本考案の防護蓋のクローズ状態を示した断面図である。
【図６】本考案の防護蓋のオープン状態を示した断面図である。
【符号の説明】
【００１５】
１              カーオーディオ
２              カーオーディオ
１１            パネル
１２            防護蓋
２１            パネル
２２            防護蓋
２３            第一固定板
２４            第二固定板
３１、３２、３３  ネジ
１１１            押ボタン
１１２            メディア装着口
１２１            蓋体
１２２            フレーム体
１２３            枢着箇所
１２４            突縁
１２５            固定台
２１１            押ボタン
２１２            メディア装着口
２２１            蓋体
２２２            弾性体
２２２ａ          第一段
２２２ｂ          第二段
２２２ｃ          第三段
２２１１          突縁
２４１、２４２    開口
Ａ                凹部